(57)【要約】  循環時間測定装置は、呼吸の気流の時間変化を示す気流信号、及び、酸素飽和度の時間変化を示す酸素飽和度信号を取得する信号取得部と、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する循環時間算出部と、を有する。
2015190413.tif 000002
【特許請求の範囲】
【請求項１】
呼吸の気流の時間変化を示す気流信号、及び、酸素飽和度の時間変化を示す酸素飽和度信号を取得する信号取得部と、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する循環時間算出部と、
を有する循環時間測定装置。
【請求項２】
前記循環時間算出部は、前記気流信号を呼吸の停止と再開の周期を表す波形に整形し、当該整形後の波形と、前記酸素飽和度信号が示す波形との時間的なずれに基づいて前記酸素運搬循環時間を測定する、
請求項１に記載の循環時間測定装置。
【請求項３】
前記循環時間算出部は、
前記気流信号を所定の時間毎に分節して分節気流信号を生成する気流分節部と、
前記酸素飽和度信号を前記所定の時間毎に分節して分節酸素飽和度信号を生成する酸素飽和度分節部と、
前記分節気流信号にフィルタを適用し、前記分節気流信号を呼吸の停止と再開の周期を表す波形に整形した整形分節気流信号を生成する信号整形処理部と、
前記整形分節気流信号が示す波形と前記分節酸素飽和度信号が示す波形との時間的なずれに対応する時間差を算出し、その時間差を前記酸素運搬循環時間とする時間差算出部と、
を有する請求項１または請求項２に記載の循環時間測定装置。
【請求項４】
前記時間差算出部は、前記整形分節気流信号および前記分節酸素飽和度信号に対して相互相関分析を用いて前記時間差を算出する、
請求項３に記載の循環時間測定装置。
【請求項５】
請求項１から請求項４のいずれか一項に記載の循環時間測定装置と、
前記循環時間測定装置が測定した前記酸素運搬循環時間を取得し、血液の酸素運搬循環時間と心拍出量との関係を示す所定の双曲線関数と前記取得した酸素運搬循環時間とに基づいて、推定心拍出量を算出する心拍出量算出部と、
を有する推定心拍出量算出装置。
【請求項６】
呼吸の気流の時間変化を示す気流信号、及び、酸素飽和度の時間変化を示す酸素飽和度信号を取得し、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する、
循環時間測定方法。
【請求項７】
呼吸の気流の時間変化を示す気流信号、及び、酸素飽和度の時間変化を示す酸素飽和度信号を取得し、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定し、
血液の酸素運搬循環時間と心拍出量との関係を示す所定の双曲線関数と前記測定した酸素運搬循環時間とに基づいて、推定心拍出量を算出する、
推定心拍出量算出方法。
【請求項８】
循環時間測定装置のコンピュータを、
呼吸の気流の時間変化を示す気流信号、及び、酸素飽和度の時間変化を示す酸素飽和度信号を取得する手段、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する手段、
として機能させるためのプログラム。
【請求項９】
推定心拍出量算出装置のコンピュータを、
呼吸の気流の時間変化を示す気流信号、及び、酸素飽和度の時間変化を示す酸素飽和度信号を取得する手段、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する手段、
血液の酸素運搬循環時間と心拍出量との関係を示す所定の双曲線関数と前記測定した酸素運搬循環時間とに基づいて、推定心拍出量を算出する手段、
として機能させるためのプログラム。
【発明の詳細な説明】
【技術分野】
【０００１】
本発明は、循環時間測定装置、推定心拍出量算出装置、循環時間測定方法、推定心拍出量算出方法及びプログラムに関する。
本願は、２０１４年６月１３日に米国に出願された米国特許仮出願第６２／０１１５９０号に基づいて優先権を主張し、その内容をここに援用する。
【背景技術】
【０００２】
心機能の状態を示す指標の一つに心拍出量がある。心拍出量は、１分間に心臓から駆出される血液量を示し、心機能の低下があるとこの値が低下する。心拍出量を測定する方法はさまざまである。代表的な測定方法としては例えば、熱希釈法が存在する。また、この他にもＭＲＩ、心臓超音波検査、インピーダンス法などが提供されている。【０００３】
また、心機能が低下した人は呼吸に問題がある場合が多いといわれている。例えば、心不全の患者は、高い割合で睡眠時無呼吸症を併発していることが指摘されている。また、睡眠時無呼吸症の被験者の呼吸が、無呼吸の状態から再開される場合に、その呼吸の再開時から血液中の酸素飽和度（ＳｐＯ２）の上昇までの時間と心機能の指標に相関があることを示す研究も存在する（非特許文献１）。【０００４】
関連する技術として特許文献１には、血流の酸素運搬の循環時間を非侵襲的に測定できる測定方法について記載がある。また、特許文献１には、血流の酸素運搬の循環時間と心拍出量とが良く相関することが記載されている。
【先行技術文献】
【特許文献】
【０００５】
【特許文献１】特開２００６−２３１０１２号公報
【非特許文献】
【０００６】
【非特許文献１】M.J. Hall, A. Xie, R. Rutherford, et al.,“Cycle length of periodic breathing in patients with and without heart failure” Am. J. Respir. Crit. Care Med. ,154, 376-381, 1996.
【発明の概要】
【発明が解決しようとする課題】
【０００７】
ところで、現在利用されることが多い熱希釈法は、カテーテルを心内へ挿入する侵襲的な方法であって被験者への身体的負担など様々な問題が指摘されている。また、心臓超音波検査などの測定方法では、精度が保てないことが課題となっている。また、従来から睡眠時無呼吸症と心機能との強い相関が指摘されてはいるものの、その相関関係を利用した簡便で実用に耐える心拍出量の測定方法は未だ提供されていない。また、特許文献１にも、そのような方法については記載が無い。【０００８】
そこでこの発明は、上述の課題を解決することのできる循環時間測定装置、推定心拍出量算出装置、循環時間測定方法、推定心拍出量算出方法及びプログラムを提供することを目的としている。
【課題を解決するための手段】
【０００９】
本発明の第１の態様によれば、循環時間測定装置は、呼吸の気流の時間変化を示す気流信号、及び、酸素飽和度の時間変化を示す酸素飽和度信号を取得する信号取得部と、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する循環時間算出部と、を有する。【００１０】
本発明の第２の態様によれば、前記循環時間算出部は、前記気流信号を呼吸の停止と再開の周期を表す波形に整形し、当該整形後の波形と、前記酸素飽和度信号が示す波形との時間的なずれに基づいて前記酸素運搬循環時間を測定する。【００１１】
本発明の第３の態様によれば、前記循環時間算出部は、前記気流信号を所定の時間毎に分節して分節気流信号を生成する気流分節部と、前記酸素飽和度信号を前記所定の時間毎に分節して分節酸素飽和度信号を生成する酸素飽和度分節部と、前記分節気流信号にフィルタを適用し、前記分節気流信号を呼吸の停止と再開の周期を表す波形に整形した整形分節気流信号を生成する信号整形処理部と、前記整形分節気流信号が示す波形と前記分節酸素飽和度信号が示す波形との時間的なずれに対応する時間差を算出し、その時間差を前記酸素運搬循環時間とする時間差算出部と、を有する。【００１２】
本発明の第４の態様によれば、前記時間差算出部は、前記整形分節気流信号および前記分節酸素飽和度信号に対して相互相関分析を用いて前記時間差を算出する。【００１３】
本発明の第５の態様によれば、推定心拍出量算出装置は、第１の態様から第４の態様のいずれか一つに記載の循環時間測定装置と、前記循環時間測定装置が測定した前記酸素運搬循環時間を取得し、血液の酸素運搬循環時間と心拍出量との関係を示す所定の双曲線関数と前記取得した酸素運搬循環時間とに基づいて、推定心拍出量を算出する心拍出量算出部と、を有する。【００１４】
本発明の第６の態様によれば、循環時間測定方法は、呼吸の気流の時間変化を示す気流信号、及び、酸素飽和度の時間変化を示す酸素飽和度信号を取得するステップと、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するステップと、を有する。【００１５】
本発明の第７の態様によれば、推定心拍出量算出方法は、呼吸の気流の時間変化を示す気流信号、及び、酸素飽和度の時間変化を示す酸素飽和度信号を取得するステップ、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するステップと、血液の酸素運搬循環時間と心拍出量との関係を示す所定の双曲線関数と前記測定した酸素運搬循環時間とに基づいて、推定心拍出量を算出するステップと、を有する。【００１６】
本発明の第８の態様によれば、プログラムは、循環時間測定装置のコンピュータを、呼吸の気流の時間変化を示す気流信号、及び、酸素飽和度の時間変化を示す酸素飽和度信号を取得する手段、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する手段、として機能させる。【００１７】
本発明の第９の態様によれば、プログラムは、推定心拍出量算出装置のコンピュータを、呼吸の気流の時間変化を示す気流信号、及び、酸素飽和度の時間変化を示す酸素飽和度信号を取得する手段、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する手段、血液の酸素運搬循環時間と心拍出量との関係を示す所定の双曲線関数と前記測定した酸素運搬循環時間とに基づいて、推定心拍出量を算出する手段、として機能させる。
【発明の効果】
【００１８】
上記した本発明の態様によれば、被験者の呼吸周期および血液中の酸素飽和度の時系列のデータを用いて、血液の酸素運搬循環時間の測定および心拍出量の推定を行うことができる。
【図面の簡単な説明】
【００１９】
【図１】本発明の一実施形態における推定心拍出量算出装置の構成を示すブロック図である。
【図２】本発明の一実施形態における循環時間測定装置の構成を示すブロック図である。
【図３】本発明の一実施形態における循環時間測定処理の概要を説明する第一の図である。
【図４】本発明の一実施形態における循環時間測定処理の概要を説明する第二の図である。
【図５】本発明の一実施形態における循環時間測定処理の概要を説明する第三の図である。
【図６】本発明の一実施形態における心拍出量の算出を説明する図である。
【図７】本発明の一実施形態に係る心拍出量の算出処理のフローチャートである。
【図８】本発明の一実施形態における推定心拍出量算出装置が出力するグラフの一例を示す第一の図である。
【図９】本発明の一実施形態における推定心拍出量算出装置が出力するグラフの一例を示す第二の図である。
【発明を実施するための形態】
【００２０】
＜一実施形態＞
以下、本発明の一実施形態による推定心拍出量算出装置を図面を参照して説明する。
図１は、本発明の一実施形態における推定心拍出量算出装置の構成を示すブロック図である。
推定心拍出量算出装置２０は、被験者の心拍出量の推定値を算出する装置である。心拍出量とは、例えばＣＩ（cardiac index）である。またはＣＯ（cardiac output：ＣＯ／体表面積＝ＣＩ）を用いることもできる。以下の説明では、心拍出量にＣＩを用いた場合を例に説明を行う。本実施形態の推定心拍出量算出装置２０は、高価で特別な医療機器を必要とせず、かつ精度の高い心拍出量の推定値を算出することができる装置である。推定心拍出量算出装置２０は、例えばＣＰＵ（Central  Processing  Unit）を備えたＰＣ（パーソナルコンピュータ）やサーバ装置である。推定心拍出量算出装置２０は、ディスプレイ装置、キーボード、マウスなどと接続されている。
【００２１】
図１において、推定心拍出量算出装置２０は、循環時間測定装置１０と、心拍出量算出部２１と、グラフ表示部２２と、記憶部２３とを備えている。
循環時間測定装置１０は、呼吸の状態を検出する気流センサによって測定した気流信号、血液中の酸素飽和度を検出するセンサで測定した酸素飽和度信号を用いて、被験者の血液の酸素運搬循環時間を測定する。血液の酸素運搬循環時間とは、被験者の呼吸の開始から、その呼吸によって吸い込んだ酸素によって酸素化された血液が血流によって運ばれ、所定の位置に至るまでの時間である。
心拍出量算出部２１は、循環時間測定装置１０が測定した循環時間を取得し、循環時間を用いて心拍出量を算出する。正常な被験者の場合、心臓が送り出す血液の量に問題がなく、その場合、血液の酸素運搬循環時間は正常な値を示す。ところが心機能に問題を抱える患者の場合、心臓の働きが弱く、心臓が送り出す血液の量が正常な被験者に比べ少なくなる。そのため、酸素が所定の位置に至るまでに時間がかかり、血液の酸素運搬循環時間は正常な被験者の値に比べ長くなる。このような血液の酸素運搬循環時間と心拍出量との相関はこれまでにも知られていたが、両者の正確な関係についての情報は無かった。本実施形態では、血液の酸素運搬循環時間と心拍出量の相関関係を表す式を用いて、血液の酸素運搬循環時間から精度の高い心拍出量の推定値を算出する方法を提供する。
グラフ表示部２２は、心拍出量算出部２１が算出した心拍出量の推定値の時系列のグラフを作成し、そのグラフを推定心拍出量算出装置２０に接続されたディスプレイ装置などに出力する。
記憶部２３は、心拍出量の算出に必要な関数、気流信号、酸素飽和度信号など種々の情報を記憶する。
【００２２】
図２は、本発明の一実施形態における循環時間測定装置の構成を示すブロック図である。
循環時間測定装置１０は、被験者の血液の酸素運搬循環時間を測定する装置である。本実施形態の循環時間測定装置１０は、睡眠時呼吸障害を患う被験者の睡眠時の呼吸の状態とそのときの血液中の酸素飽和度の変化に基づいて血液の酸素運搬循環時間を測定する。睡眠時呼吸障害を患う被験者の場合、睡眠中に呼吸が停止したり弱まったりする時間が存在する。その間、被験者の血液の酸素飽和度は低下する。その後、被験者が呼吸を再開すると血液の酸素飽和度は上昇する。睡眠時呼吸障害を患う被験者の場合、呼吸の再開やそれに伴う血液の酸素飽和度の上昇が、その被験者について測定した気流信号や酸素飽和度信号にはっきりと表れる。本実施形態の循環時間測定装置１０は、この性質を利用し、血液の酸素運搬循環時間を測定する。
【００２３】
本実施形態では、睡眠時ポリグラフ検査（polysomnography）によって測定した被験者の気流信号と酸素飽和度信号を利用することができる。気流信号は、例えば被験者の鼻に装着した圧力センサによって測定することができる。気流信号の測定には、その他にも、呼吸に伴って鼻腔を出入りする空気の温度変化を検出する方法や呼吸に伴う胸の動きを検出する方法などを用いることができる。また、酸素飽和度信号は、例えば指先に装着したパルスオキシメータによって測定することができる。本実施形態では血液の酸素運搬循環時間として、肺から指先へ酸素が運搬される時間を意味するＬＦＣＴ（lung-to-finger circulation time）を用いる。
【００２４】
図２が示すように循環時間測定装置１０は、信号取得部１１と、循環時間算出部１２と、出力部１３とを備えている。
信号取得部１１は、記憶部２３から被験者の呼吸状態の時間変化を示す気流信号を取得する。また、信号取得部１１は、記憶部２３から被験者の指先を流れる血液中の酸素飽和度の時間変化を示す酸素飽和度信号を取得する。
循環時間算出部１２は、気流信号における第一時刻（呼吸の再開時刻）と、第一時刻での呼吸再開に対応した酸素飽和度の挙動（酸素飽和度の上昇）を示す酸素飽和度信号における第二時刻と、の時間差に基づいて血液の酸素運搬循環時間を測定する。この算出において、循環時間算出部１２は、気流信号を呼吸の停止と再開の周期を表す波形に整形し、整形後の波形と、酸素飽和度信号が示す波形との時間的なずれに基づいて血液の酸素運搬循環時間を測定する。
出力部１３は、循環時間算出部１２が算出した血液の酸素運搬循環時間の情報を出力する。
【００２５】
また、循環時間算出部１２は、気流分節部１２１と、酸素飽和度分節部１２２と、信号整形処理部１２３と、時間差算出部１２４と、を備えている。
気流分節部１２１は、気流信号を所定の時間毎に分節して分節気流信号を生成する。
酸素飽和度分節部１２２は、酸素飽和度信号を所定の時間毎に分節して分節酸素飽和度信号を生成する。
信号整形処理部１２３は、分節気流信号にローパスフィルタを適用するなどして整形分節気流信号を生成する。
時間差算出部１２４は、整形分節気流信号が示す波形と分節酸素飽和度信号が示す波形との時間的ずれに対応する時間差を算出し、その時間差を血液の酸素運搬循環時間とする。この時間差の算出において、時間差算出部１２４は、整形分節気流信号および分節酸素飽和度信号について相互相関分析を用いる。
【００２６】
図３は、本発明の一実施形態における循環時間測定処理の概要を説明する第一の図である。
図４は、本発明の一実施形態における循環時間測定処理（デトレンド処理）の概要を説明する第二の図である。
図３のグラフ３Ａ（１番上のグラフ）は、信号取得部１１が取得した気流信号の時系列のグラフである。図３のグラフ３Ｂ（上から２番目のグラフ）は、信号取得部１１が取得した気流信号に対して全波整流処理を行った信号の時系列のグラフである。図３のグラフ３Ｃ（上から３番目のグラフ）は、全波整流処理を行った気流信号に対してローパスフィルタを適用することにより、呼吸の停止と再開の周期を表す波形に整形された信号の時系列のグラフである。図３のグラフ３Ｄ（１番下のグラフ）は、信号取得部１１が取得した酸素飽和度信号の時系列のグラフである。
【００２７】
心不全などの患者は、睡眠時呼吸障害を併発していることが多い。本実施形態では、睡眠時呼吸障害の被験者の呼吸が、睡眠中、停止したり弱まったりした状態から、通常の呼吸に戻るタイミングを利用してＬＦＣＴの測定を行う。具体的には、被験者の呼吸が停止状態から通常の呼吸状態に戻ると、そのときに取り込まれた酸素によって、血液中の酸素飽和度の上昇が生じる。酸素飽和度信号においては少し遅れて酸素飽和度の上昇が記録される。少し遅れるのは、酸素化された血液が指先まで運搬されるのに時間が掛かるためである。一方の気流信号においても、被験者の呼吸が停止状態から通常の呼吸状態に戻るときには、明確にその挙動が示される。本実施形態では、睡眠時に呼吸が停止することがある被験者を対象として、一連の呼吸における呼吸の再開時の気流信号の挙動と、それに対応する酸素飽和度の挙動とを目印にしてＬＦＣＴを測定する。ＬＦＣＴは、酸素を吸い始めてから指先に装着されたパルスオキシメータが酸素飽和度の上昇を検出するまでの時間である。本実施形態では、気流信号における呼吸の再開を示す挙動が現れる時刻と、酸素飽和度信号における呼吸の再開に対応する挙動が示される時刻との時間差を、それぞれの信号が示す波形の相互相関を分析することで行う。
【００２８】
グラフ３Ａが示す気流信号には、呼吸の停止と再開の周期（Ｐ）に比べ周期の短い（周波数の高い）呼吸波形が含まれている。このまま相互相関分析を行っても、周波数の高い信号の影響で正しい相互相関分析を行うことができない。そこで、気流信号に対して、酸素飽和度信号が示す波形と相互相関分析を行いやすいように主として呼吸の停止と再開の周期を表す波形だけを抽出する処理を行う。
まず、信号整形処理部１２３は、全波整流処理を行う。これにより、グラフ３Ｂが示すように気流信号の値を全て正にする。次に、信号整形処理部１２３は、全波整流処理後の気流信号に対してローパスフィルタを適用し、周波数の高い成分を取り除く。すると、グラフ３Ｃが示す呼吸の停止と再開の周期を表す波形だけを抽出することができる。なお、この段階では、ローパスフィルタによる周波数遮断の他にデトレンド処理を行う。
【００２９】
デトレンド処理について図４を用いて説明する。気流信号をグラフに表すと、気流センサにおけるノイズの蓄積などにより、信号の値が徐々に上昇する傾向がみられる場合がある。グラフ４Ａは、このような場合の気流信号の例を示している。このような上昇傾向を含んだままでは正しい相互相関分析を行うことができない。デトレンド処理は、このような値の傾向を取り除き、呼吸の停止と再開の周期を表す波形のみを抽出するために行う。信号整形処理部１２３は、例えば最小二乗法などにより、気流信号に対して線形近似を行い、気流信号の上昇傾向を示す直線４Ｂを算出する。信号整形処理部１２３は、気流信号の値からこの直線分を差し引くデトレンド処理を行う。グラフ４Ｃは、デトレンド処理後の波形を示している。信号整形処理部１２３は、全波整流処理、ローパスフィルタ適用、デトレンド処理を行って、呼吸の停止と再開の周期を表す波形に整形した信号を生成する。また、信号整形処理部１２３は、酸素飽和度信号についても同様にデトレンド処理を行う。これにより、整形後の気流信号と酸素飽和度信号との相互相関分析が可能になる。相互相関分析を行うと、ＬＦＣＴを求めることができる。次に、図５を用いて整形後の気流信号と酸素飽和度信号との相互相関分析について説明を行う。
【００３０】
図５は、本発明の一実施形態における循環時間測定処理の概要を説明する第三の図である。
図５において、グラフ３Ｃは、呼吸の停止と再開の周期を表す波形に整形した整形後の気流信号の時系列のグラフである。グラフ３Ｄは、酸素飽和度信号の時系列のグラフである。グラフ３Ｃ−１０は、グラフ３Ｃを右に１０秒分シフトしたグラフである。グラフ３Ｃ−２０は、グラフ３Ｃを右に２０秒分シフトしたグラフである。
ＬＦＣＴを測定するために、整形後の気流信号における所定の時刻と、その所定の時刻での呼吸再開に対応した酸素飽和度の挙動を示す酸素飽和度信号における時刻とが重なるように、両方のグラフの時間的なずれに対応する時間差分だけグラフ３Ｃまたはグラフ３Ｄをシフトさせる。このときのシフト量（秒）がＬＦＣＴである。ＬＦＣＴは、指先までの酸素運搬に掛かる時間である。このときのシフト量を求めるために時間差算出部１２４は、相互相関分析を行う。まず、時間差算出部１２４は、整形後の気流信号の時系列のグラフと酸素飽和度信号の時系列のグラフの何れか一方を、時間軸方向にシフトさせて、シフト後の２つのグラフの各時刻における値の積を計算する。時間差算出部１２４は、各時刻における積を全ての時刻について合計する。この合計値を相互相関係数と呼ぶ。時間差算出部１２４は、シフト量ごとに計算した相互相関係数を比較し、最も値が大きかった場合のシフト量を求める。この場合の相互相関係数を最大相互相関係数と呼ぶ。つまり、時間差算出部１２４は、グラフ３Ｃの波形とグラフ３Ｄの波形の相互相関関係が最も強くなる場合のシフト量を求める。この処理を、本実施形態における相互相関分析と呼ぶ。この相互相関分析によって求めたシフト量が、整形後の気流信号の波形と酸素飽和度信号の波形の時間的なずれに対応する時間差であり、ＬＦＣＴである。
【００３１】
図５の例の場合、グラフＣを右（未来方向）に０秒シフトさせたときの相互相関関係は低い。グラフＣを右に１０秒分シフトさせると相互相関関係が高まり、グラフＣを右に２０秒分シフトさせたときに相互相関関係が最も高くなる。図５の例の場合、求めるＬＦＣＴは２０秒である。つまり、この例では呼吸によって取り入れられた酸素が２０秒遅れて指先に到達する。上述のとおり、この遅れ時間は被験者の心機能の指標と相関がある。時間差算出部１２４が相互相関分析によってＬＦＣＴを求めると、心拍出量算出部２１は、ＬＦＣＴを用いて心拍出量ＣＩの推定値を算出する。次に心拍出量ＣＩの算出について説明する。
【００３２】
図６は、本発明の一実施形態における心拍出量の算出を説明する図である。
図６の左図は、複数の被験者（３１人）について測定した本実施形態によるＬＦＣＴと同じ被験者について測定したＣＩの測定値との関係を示すグラフである。図６の左図の縦軸がＣＩ測定値、横軸がＬＦＣＴである。ＬＦＣＴについては、複数の被験者に対して測定した一晩中の気流信号および酸素飽和度信号を用いて測定し、その平均値を採用した。ＣＩの測定値については、現状で最も精度の高い侵襲的測定方法（例えば熱希釈法やフィック法）を用いて測定を行った。このようにして得られたＬＦＣＴの平均値とＣＩ測定値との相関を回帰分析すると、Ｒ２＝０．５３、ｐ値＜０．００１が得られた。これは両者の間に相関関係があることを示す有意な値といえる。また、図６の左図のグラフを解析すると本実施形態によるＬＦＣＴとＣＩの測定値との関係は、双曲線関数の関係に近似できることがわかった。ＬＦＣＴとＣＩの関係は以下の式で表すことができる。
【００３３】
【数１】
2015190413.tif 000003
【００３４】
図６右図は、複数の被験者について上記の式（１）によって算出したＣＩ推定値と同じ被験者について測定したＣＩ測定値との関係を示すグラフである。図６右図の縦軸がＣＩ測定値、横軸がＣＩ推定値である。この右図に示すグラフについて分析すると、本実施形態の式（１）によるＣＩ推定値の誤差ＲＭＳＥ（Root Mean Squared Error）について、ＲＭＳＥ＝０．３３±０．２３（Ｌ／ｍｉｎ／ｍ２）が得られた。この値は、医療目的での使用に耐えうる誤差であると考えられる。
以上の分析に基づいて、本実施形態では心拍出量算出部２１が、循環時間測定装置１０が測定したＬＦＣＴを取得し、式（１）によって心拍出量（ＣＩ）の推定値を算出する。
次に、本実施形態における心拍出量（ＣＩ）の推定値の算出処理の流れについて説明する。
【００３５】
図７は、本発明の一実施形態に係る心拍出量の算出処理のフローチャートである。
前提として、記憶部２３には、被験者の睡眠中に測定された一連の気流信号と一連の酸素飽和度信号が格納されているとする。また、記憶部２３には、気流信号などと並行して測定された被験者の脈拍の測定値が格納されているとする。
まず、信号取得部１１が、記憶部２３から被験者の一連の気流信号および酸素飽和度信号を読み出して取得する（ステップＳ１１）。信号取得部１１は循環時間算出部１２に、読み出した気流信号および酸素飽和度信号を出力する。次に、循環時間算出部１２が有する信号整形処理部１２３が、読み出した一連の気流信号に対して全波整流処理を行う（ステップＳ１２）。次に、循環時間算出部１２が有する気流分節部１２１が、全波整流処理後の気流信号を所定の時間単位（例えば２分単位）に分節しＮ個の分節気流信号ｎ（ｎ＝１〜Ｎ）を生成する（ステップＳ１３）。また、循環時間算出部１２が有する酸素飽和度分節部１２２が、一連の酸素飽和度信号を、気流分節部１２１が分節に用いた長さと同じ時間単位（例えば２分単位）に分節しＮ個の分節酸素飽和度信号ｎ（ｎ＝１〜Ｎ）を生成する。これら分節気流信号ｎと分節酸素飽和度信号ｎとを総称して分節信号ｎと呼ぶ。次に、循環時間算出部１２は、分節ごとに以下のステップＳ１５〜ステップＳ１７の処理を行う（ステップＳ１４）。
【００３６】
まず、信号整形処理部１２３が、１つ目の分節気流信号１と１つ目の分節酸素飽和度信号１に対してデトレンド処理を行う（ステップＳ１５）。次に、信号整形処理部１２３は、デトレンド処理後の１つ目の分節気流信号１に対してローパスフィルタを適用し（ステップＳ１６）、高周波成分を除去する。このとき信号整形処理部１２３は、複数のローパスフィルタを、デトレンド処理後の１つ目の分節気流信号１に対して適用する。複数種類のローパスフィルタの例を示す。
Ａ．１次ローパスフィルタ、むだ時間＝０、遮断周波数  ０．０１０Ｈｚ
Ｂ．１次ローパスフィルタ、むだ時間＝０、遮断周波数  ０．０１５Ｈｚ
Ｃ．１次ローパスフィルタ、むだ時間＝０、遮断周波数  ０．０２０Ｈｚ
信号整形処理部１２３は、１つ目の分節気流信号１にローパスフィルタＡ、Ｂ、Ｃのそれぞれを適用した整形分節気流信号Ａ１、整形分節気流信号Ｂ１、整形分節気流信号Ｃ１を生成する。
【００３７】
次に、循環時間算出部１２が有する時間差算出部１２４が、整形分節気流信号Ａ１、整形分節気流信号Ｂ１、整形分節気流信号Ｃ１のそれぞれと１つ目の分節酸素飽和度信号１について、相互相関分析を行い（ステップＳ１７）、相互相関係数を算出する。このとき、時間差算出部１２４は、指先で酸素飽和度信号を測定した場合の例として、相互相関分析における時間軸方向の整形分節気流信号または分節酸素飽和度信号のシフト量を、例えば１０秒〜６０秒の範囲に限定して行う。時間差算出部１２４は、シフト量を変化させながら整形分節気流信号または分節酸素飽和度信号を互いの目印とする挙動を示す点（呼吸の再開を示す点と酸素飽和度の上昇を示す点）が重なる方向にシフトさせて、それぞれのシフト量ごとに相互相関係数を算出し、その値が最大となる場合を求める。最終的に時間差算出部１２４は、整形分節気流信号Ａ１と分節酸素飽和度信号の最大相互相関係数Ａ´１を算出する。時間差算出部１２４は、整形分節気流信号Ｂ１と分節酸素飽和度信号の最大相互相関係数Ｂ´１を算出する。時間差算出部１２４は、整形分節気流信号Ｃ１と分節酸素飽和度信号の最大相互相関係数Ｃ´１を算出する。次に、時間差算出部１２４は、算出したＡ´１、Ｂ´１、Ｃ´１のうち最大値Ｄ´１を選択する。次に、時間差算出部１２４は、選択した最大相互相関係数の最大値Ｄ´１に対応するシフト量をこの分節信号に対するＬＦＣＴ１として設定する。時間差算出部１２４は、分節気流信号に含まれる所定の時刻（例えば、分節気流信号中に含まれる気流信号の最初の測定時刻）とＬＦＣＴ１とを対応付けて記憶部２３に記録する。
【００３８】
信号整形処理部１２３と時間差算出部１２４は、２つ目の分節気流信号および２つ目の分節酸素飽和度信号についても同様にステップＳ１５〜ステップＳ１７の処理を繰り返す。例えば、時間差算出部１２４は、１つ目の分節信号に対して最大相互相関係数Ｃ´１を選択し、その場合のシフト量ＬＦＣＴ１として設定したとしても、２つ目の分節信号の相互相関分析では最大相互相関係数Ａ´２が最大値となれば、その場合のシフト量を選択しこの分節信号における循環時間ＬＦＣＴ２として設定する。このように各分節信号に対して、複数種類のローパスフィルタを適用して各ローパスフィルタによる処理結果を比較することで、それぞれの分節信号について精度の高い（最大相互相関係数の高い）ＬＦＣＴを選択することができる。ＬＦＣＴ２を設定すると時間差算出部１２４は、２つ目の分節気流信号に含まれる所定の時刻とＬＦＣＴ２とを対応付けて記憶部２３に記録する。
分節信号に対する処理を全ての分節信号（ｎ＝１〜Ｎ）について行うと、記憶部２３には時系列のＬＦＣＴｎ（ｎ＝１〜Ｎ）が記録される。次に出力部１３が、記憶部２３から時系列のＬＦＣＴｎ（ｎ＝１〜Ｎ）を読み出して心拍出量算出部２１へ出力する。
【００３９】
次に心拍出量算出部２１は、時系列のＬＦＣＴｎ（ｎ＝１〜Ｎ）のそれぞれについて式（１）を用いて心拍出量の推定値ＣＩｎを算出する（ステップＳ１９）。心拍出量算出部２１は、算出したＣＩｎをＬＦＣＴｎに紐づいた時刻と対応付けて記憶部２３へ記録する。心拍出量算出部２１が全てのＬＦＣＴｎ（ｎ＝１〜Ｎ）についてＣＩｎを算出し終えると、記憶部２３には時系列のＣＩｎ（ｎ＝１〜Ｎ）が記録される。
【００４０】
次に心拍出量算出部２１は、時系列のＣＩｎから外れ値を除去する処理を行う（ステップＳ２０）。例えば、心拍出量算出部２１は、ＣＩｎが急激に変化した部分があれば、急激に変化したＣＩｎを除去する。ＣＩｎが急激に変化する場合とは、例えばΔＣＩ≧０．５Ｌ／ｍｉｎ／ｍ２の場合などである。また、心拍出量算出部２１は、ＣＩｎの平均値から大幅に外れた値があれば、そのＣＩｎを除去する。大幅に外れた値とは、例えば１．０Ｌ／ｍｉｎ／ｍ２以上ずれている場合などである。心拍出量算出部２１は、記憶部２３に記録された時系列のＣＩｎのデータから外れ値を削除する。
【００４１】
次に、グラフ表示部２２が、外れ値除去後の時系列のＬＦＣＴ、ＣＩ推定値を読み出してＬＦＣＴ、ＣＩ推定値などの時系列のグラフを表示した画像を生成する。グラフ表示部２２は、生成した画像をディスプレイ装置に出力し表示させる（ステップＳ２１）。グラフ表示部２２が出力するグラフの一例を図８に示す。
【００４２】
図８は、本発明の一実施形態における推定心拍出量算出装置が出力するグラフの一例を示す第一の図である。
図８のグラフ８Ａ（１番上のグラフ）は、酸素飽和度（ＳｐＯ２）の時系列のグラフである。グラフ８Ｂ（上から２番目のグラフ）は、本実施形態の循環時間測定装置１０によって測定したＬＦＣＴの時系列のグラフである。グラフ８Ｃ（上から３番目のグラフ）は、本実施形態の推定心拍出量算出装置２０によって算出したＣＩ推定値の時系列のグラフである。グラフ８Ｄ（１番下のグラフ）は、脈拍の時系列のグラフである。本実施形態によれば睡眠時ポリグラフ検査によって測定したデータを利用して図８で例示したグラフを出力することができる。
なお、グラフ表示部２２は、時系列のＬＦＣＴおよび心拍出量からそれぞれの平均値を算出して、それらの平均値を出力するようにしてもよい。
【００４３】
また、これまでに心拍出量としてＣＩの推定値を算出する場合を例に説明を行ったが、ＣＯの推定値を算出してもよい。具体的には、被験者の体表面積の情報を記憶部２３に記録しておく。そして、心拍出量算出部２１は、式（１）によりＣＩ推定値を算出し、さらにＣＩ推定値に記憶部２３から読み出した被験者の体表面積を乗算してＣＯ推定値を算出する（ＣＯ推定値＝ＣＩ推定値×被験者の体表面積）。
また、図７の処理フローでは、ＣＩの推定値に対して外れ値を除去する処理を行ったが、時系列のＬＦＣＴの測定値に対して、急激に変化した値や平均値から大幅に外れた値を除去する処理を行ってもよい。
【００４４】
なお、上述の全波整流処理、ローパスフィルタ適用、デトレンド処理、相互相関分析処理は、例えばＭａｔｈＷｏｒｋｓ社から提供されているＭＡＴＬＡＢなどの一般的な数値解析ソフトウェアを用いて行うことができる。
【００４５】
図９は、本発明の一実施形態における推定心拍出量算出装置が出力するグラフの一例を示す第二の図である。
図９は、収縮能の保たれた心不全に心房細動を合併したある被験者について、本実施形態の循環時間測定装置１０を用いたＬＦＣＴの測定および推定心拍出量算出装置２０を用いたＣＩ推定値の算出を行った結果を表示したグラフである。この被験者は呼吸困難感を訴えており、心臓超音波検査を行ったところ良好な心機能を有するとの結果が得られたが、本実施形態の推定心拍出量算出装置２０でＣＩ推定値を算出したところ、ＣＩ推定値の低下がみられた（図９左図）。
次に、この被験者に対して電気的除細動の措置を行い、その後、症状が軽快した時点で、再度、本実施形態の推定心拍出量算出装置２０でＣＩ推定値を算出したところ、図９右図が得られた。図９右図によればこの被験者のＣＩ推定値が回復していることがわかる。この例から、心臓超音波検査などで被験者の心機能の状態を検出できない場合でも、本実施形態の推定心拍出量算出装置２０であれば心機能の状態を把握することができる可能性があることがわかる。また、心不全などの患者は睡眠時呼吸障害を併発していることが多いので、睡眠時に測定した気流信号と酸素飽和度信号によって心機能の重要な指標であるＣＩを推定することができる本実施形態の方法は、心不全などの患者に対する日々の検査にも好適である。
【００４６】
本実施形態の推定心拍出量算出装置２０によれば、ＬＦＣＴの測定値に基づいて非侵襲的な方法で心拍出量ＣＩを推定することができる。また、ＬＦＣＴの測定においては、特別な機器や専門的なスキルを必要とせず、既存の検査機器と循環時間測定装置１０の機能を備えたＰＣなどがあれば実施することができるので導入や運用が容易である。また、日々の医療の現場において、複数の被験者について一晩中測定した気流信号と酸素飽和度信号の膨大なデータから手作業でＬＦＣＴを測定するのは現実的ではない。本実施形態のアルゴリズムによれば気流信号から呼吸の停止と再開の周期を表す波形を抽出し、酸素飽和度信号との相互相関分析を行うことで、自動的にＬＦＣＴの測定を行うことができるので、ＬＦＣＴの測定を日々無理なく継続することができる。また、本実施形態によれば、ある１つの時点におけるＬＦＣＴやＣＩ推定値だけではなく、所定期間における（例えば一晩中）ＬＦＣＴおよびＣＩ推定値の変動を示すグラフを表示することができるので、被験者に関する有意義なデータを得ることができる。
【００４７】
なお、循環時間測定装置１０、推定心拍出量算出装置２０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであってもよい。
【００４８】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。例えば、記憶部２３は、外部の記憶装置に設けてもよい。なお、ＬＦＣＴは、血液の酸素運搬循環時間の一例である。また、式（１）は、血液の酸素運搬循環時間と心拍出量との関係を示す所定の双曲線関数の一例である。また、ＣＩの推定値は、推定心拍出量の一例である。
【産業上の利用可能性】
【００４９】
上述した循環時間測定装置、推定心拍出量算出装置、循環時間測定方法、推定心拍出量算出方法及びプログラムによれば、被験者の呼吸周期および血液中の酸素飽和度の時系列のデータを用いて、血液の酸素運搬循環時間の測定および心拍出量の推定を行うことができる。
【符号の説明】
【００５０】
１０    循環時間測定装置
１１    信号取得部
１２    循環時間算出部
１２１  気流分節部
１２２  酸素飽和度分節部
１２３  信号整形処理部
１２４  時間差算出部
１３    出力部
２０  推定心拍出量算出装置
２１  心拍出量算出部
２２  グラフ表示部
２３  記憶部
【図１】
2015190413.tif 000004
【図２】
2015190413.tif 000005
【図３】
2015190413.tif 000006
【図４】
2015190413.tif 000007
【図５】
2015190413.tif 000008
【図６】
2015190413.tif 000009
【図７】
2015190413.tif 000010
【図８】
2015190413.tif 000011
【図９】
2015190413.tif 000012
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
呼吸の気流の時間変化を示す気流信号、及び、酸素飽和度の時間変化を示す酸素飽和度信号を取得する信号取得部と、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する循環時間算出部と、
を有し、
前記循環時間算出部は、
前記気流信号を所定の時間毎に分節して分節気流信号を生成する気流分節部と、
前記酸素飽和度信号を前記所定の時間毎に分節して分節酸素飽和度信号を生成する酸素飽和度分節部と、
前記分節気流信号にフィルタを適用し、前記分節気流信号を呼吸の停止と再開の周期を表す波形に整形した整形分節気流信号を生成する信号整形処理部と、
前記整形分節気流信号が示す波形と前記分節酸素飽和度信号が示す波形との時間的なずれに対応する時間差を算出し、その時間差を前記酸素運搬循環時間とする時間差算出部と、
を有する循環時間測定装置。
【請求項２】
（削除）
【請求項３】
（削除）
【請求項４】
前記時間差算出部は、前記整形分節気流信号および前記分節酸素飽和度信号に対して相互相関分析を用いて前記時間差を算出する、
請求項１に記載の循環時間測定装置。
【請求項５】
請求項１から請求項４のいずれか一項に記載の循環時間測定装置と、
前記循環時間測定装置が測定した前記酸素運搬循環時間を取得し、
血液の酸素運搬循環時間と心拍出量との関係を示す所定の双曲線関数と前記取得した酸素運搬循環時間とに基づいて、推定心拍出量を算出する心拍出量算出部と、
を有する推定心拍出量算出装置。
【請求項６】
呼吸の気流の時間変化を示す気流信号、及び、酸素飽和度の時間変化を示す酸素飽和度信号を取得するステップと、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するステップと、
を有し、
前記酸素運搬循環時間を測定するステップでは、
前記気流信号を所定の時間毎に分節して分節気流信号を生成し、
前記酸素飽和度信号を前記所定の時間毎に分節して分節酸素飽和度信号を生成し、
前記分節気流信号にフィルタを適用し、前記分節気流信号を呼吸の停止と再開の周期を表す波形に整形した整形分節気流信号を生成し、
前記整形分節気流信号が示す波形と前記分節酸素飽和度信号が示す波形との時間的なずれに対応する時間差を算出し、その時間差を前記酸素運搬循環時間とする、
循環時間測定方法。
【請求項７】
呼吸の気流の時間変化を示す気流信号、及び、酸素飽和度の時間変化を示す酸素飽和度信号を取得し、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定し、
血液の酸素運搬循環時間と心拍出量との関係を示す所定の双曲線関数と前記測定した酸素運搬循環時間とに基づいて、推定心拍出量を算出する、
推定心拍出量算出方法。
【請求項８】
循環時間測定装置のコンピュータを、
呼吸の気流の時間変化を示す気流信号、及び、酸素飽和度の時間変化を示す酸素飽和度信号を取得する手段、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するにあたり、
前記気流信号を所定の時間毎に分節して分節気流信号を生成する手段、
前記酸素飽和度信号を前記所定の時間毎に分節して分節酸素飽和度信号を生成する手段、
前記分節気流信号にフィルタを適用し、前記分節気流信号を呼吸の停止と再開の周期を表す波形に整形した整形分節気流信号を生成する手段、
前記整形分節気流信号が示す波形と前記分節酸素飽和度信号が示す波形との時間的なずれに対応する時間差を算出し、その時間差を前記酸素運搬循環時間とする手段、
として機能させるためのプログラム。
【請求項９】
推定心拍出量算出装置のコンピュータを、
呼吸の気流の時間変化を示す気流信号、及び、酸素飽和度の時間変化を示す酸素飽和度信号を取得する手段、
前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する手段、
血液の酸素運搬循環時間と心拍出量との関係を示す所定の双曲線関数と前記測定した酸素運搬循環時間とに基づいて、推定心拍出量を算出する手段、
として機能させるためのプログラム。
【手続補正２】
【補正対象書類名】明細書
【補正対象項目名】０００２
【補正方法】変更
【補正の内容】
【０００２】
非特許文献
［０００６］
非特許文献１：Ｍ．Ｊ．Ｈａｌｌ．Ａ．Ｘｉｅ，Ｒ．Ｒｕｔｈｅｒｆｏｒｄ，ｅｔ  ａｌ．，“Ｃｙｃｌｅ  ｌｅｎｇｔｈｏｆｐｅｒｉｏｄｉｃ  ｂｒｅａｔｈｉｎｇ  ｉｎ  ｐａｔｉｅｎｔｓ  ｗｉｔｈ  ａｎｄ  ｗｉｔｈｏｕｔ  ｈｅａｒｔ  ｆａｉｌｕｒｅ”Ａｍ．Ｊ．Ｒｅｓｐｉｒ．Ｃｒｉｔ．Ｃａｒｅ  Ｍｅｄ．，１５４，３７６−３８１，１９９６．
発明の概要
発明が解決しようとする課題
［０００７］
ところで、現在利用されることが多い熱希釈法は、カテーテルを心内へ挿入する侵襲的な方法であって被験者への身体的負担など様々な問題が指摘されている。また、心臓超音波検査などの測定方法では、精度が保てないことが課題となっている。また、従来から睡眠時無呼吸症と心機能との強い相関が指摘されてはいるものの、その相関関係を利用した簡便で実用に耐える心拍出量の測定方法は未だ提供されていない。また、特許文献１にも、そのような方法については記載が無い。
［０００８］
そこでこの発明は、上述の課題を解決することのできる循環時間測定装置、推定心拍出量算出装置、循環時間測定方法、推定心拍出量算出方法及びプログラムを提供することを目的としている。
課題を解決するための手段
［０００９］
本発明の第１の態様によれば、循環時間測定装置は、呼吸の気流の時間変化を示す気流信号、及び、酸素飽和度の時間変化を示す酸素飽和度信号を取得する信号取得部と、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する循環時間算出部と、を有し、前記循環時間算出部は、前記気流信号を所定の時間毎に分節して分節気流信号を生成する気流分節部と、前記酸素飽和度信号を前記所定の時間毎に分節して分節酸素飽和度信号を生成する酸素飽和度分節部と、前記分節気流信号にフィルタを適用し、前記分節気流信号を呼吸の停止と再開の周期を表す波形に整形した整形分節気流信号を生成する信号整形処理部と、前記整形分節気流信号が示す波形と前記分節酸素飽和度信号が示す波形との時間的なずれに対応する時間差を算出し、その時間差を前記酸素運搬循環時間とする時間差算出部と、を有する。
［００１０］
【手続補正３】
【補正対象書類名】明細書
【補正対象項目名】０００３
【補正方法】変更
【補正の内容】
【０００３】
［００１１］
［００１２］
本発明の第４の態様によれば、前記時間差算出部は、前記整形分節気流信号および前記分節酸素飽和度信号に対して相互相関分析を用いて前記時間差を算出する。
［００１３］
本発明の第５の態様によれば、推定心拍出量算出装置は、第１の態様から第４の態様のいずれか一つに記載の循環時間測定装置と、前記循環時間測定装置が測定した前記酸素運搬循環時間を取得し、血液の酸素運搬循環時間と心拍出量との関係を示す所定の双曲線関数と前記取得した酸素運搬循環時間とに基づいて、推定心拍出量を算出する心拍出量算出部と、を有する。
［００１４］
本発明の第６の態様によれば、循環時間測定方法は、呼吸の気流の時間変化を示す気流信号、及び、酸素飽和度の時間変化を示す酸素飽和度信号を取得するステップと、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するステップと、を有し、前記酸素運搬循環時間を測定するステップでは、前記気流信号を所定の時間毎に分節して分節気流信号を生成し、前記酸素飽和度信号を前記所定の時間毎に分節して分節酸素飽和度信号を生成し、前記分節気流信号にフィルタを適用し、前記分節気流信号を呼吸の停止と再開の周期を表す波形に整形した整形分節気流信号を生成し、前記整形分節気流信号が示す波形と前記分節酸素飽和度信号が示す波形との時間的なずれに対応する時間差を算出し、その時間差を前記酸素運搬循環時間とする。
［００１５］
本発明の第７の態様によれば、推定心拍出量算出方法は、呼吸の気流の時間変化を示す気流信号、及び、酸素飽和度の時間変化を示す酸素飽和度信号を取得するステップ、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するステップと、血液の酸素運搬循環時間と心拍出量との関係を示す所定の双曲線関
【手続補正４】
【補正対象書類名】明細書
【補正対象項目名】０００４
【補正方法】変更
【補正の内容】
【０００４】
数と前記測定した酸素運搬循環時間とに基づいて、推定心拍出量を算出するステップと、を有する。
［００１６］
本発明の第８の態様によれば、プログラムは、循環時間測定装置のコンピュータを、呼吸の気流の時間変化を示す気流信号、及び、酸素飽和度の時間変化を示す酸素飽和度信号を取得する手段、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定するにあたり、前記気流信号を所定の時間毎に分節して分節気流信号を生成する手段、前記酸素飽和度信号を前記所定の時間毎に分節して分節酸素飽和度信号を生成する手段、前記分節気流信号にフィルタを適用し、前記分節気流信号を呼吸の停止と再開の周期を表す波形に整形した整形分節気流信号を生成する手段、前記整形分節気流信号が示す波形と前記分節酸素飽和度信号が示す波形との時間的なずれに対応する時間差を算出し、その時間差を前記酸素運搬循環時間とする手段、として機能させる。
［００１７］
本発明の第９の態様によれば、プログラムは、推定心拍出量算出装置のコンピュータを、呼吸の気流の時間変化を示す気流信号、及び、酸素飽和度の時間変化を示す酸素飽和度信号を取得する手段、前記気流信号における所定の第一時刻と、前記第一時刻での呼吸再開に対応した酸素飽和度の上昇を示す前記酸素飽和度信号における第二時刻との時間差に基づいて血液の酸素運搬循環時間を測定する手段、血液の酸素運搬循環時間と心拍出量との関係を示す所定の双曲線関数と前記測定した酸素運搬循環時間とに基づいて、推定心拍出量を算出する手段、として機能させる。
発明の効果
［００１８］
上記した本発明の態様によれば、被験者の呼吸周期および血液中の酸素飽和度の時系列のデータを用いて、血液の酸素運搬循環時間の測定および心拍出量の推定を行うことができる。
図面の簡単な説明
［００１９］
［図１］本発明の一実施形態における推定心拍出量算出装置の構成を示すブロック図である。
［図２］本発明の一実施形態における循環時間測定装置の構成を示すブロック図である。
［図３］本発明の一実施形態における循環時間測定処理の概要を説明する第一の図である。
［図４］本発明の一実施形態における循環時間測定処理の概要を説明する第二の
【国際調査報告】
2015190413.tif 000013
2015190413.tif 000014